(57)【特許請求の範囲】
【請求項１】
ドクターブレードを受け入れるドクターブレード受け入れ領域を含むドクターブレードホルダと、
前記ドクターブレードホルダを第１の軸線を中心として回動させることにより、前記ドクターブレード受け入れ領域をロール表面の方へまたはロール表面から離れるように選択的に移動させる駆動手段と、
を備えるドクターブレードホルダシステムであって、
前記ドクターブレードホルダシステムは、断面領域が略円形であるドクターブレードホルダコアと、そのドクターブレードホルダコア内の幅方向構造とを備え、前記幅方向構造は内部ピボット構造を含み、その内部ピボット構造に対して、前記ドクターブレードホルダが前記駆動手段に応答して前記第１の軸線を中心として回動するように構成され、前記ドクターブレードホルダは、前記ドクターブレードホルダコアの開口位置で開口を通り、また前記ドクターブレードホルダコアの内部を延び、前記内部ピボット構造は、前記ドクターブレードホルダコアの略円形の周上において前記開口位置の略反対側となるピボット位置に配置されている、ドクターブレードホルダシステム。
【請求項２】
前記ドクターブレードホルダコアは、真空源に結合されている内部プレナムを含む、請求項１に記載のドクターブレードホルダシステム。
【請求項３】
前記ドクターブレードホルダコアは、前記内部プレナムに連通する少なくとも１つの開口部に隣接するパッドをさらに含む、請求項２に記載のドクターブレードホルダシステム。
【請求項４】
前記駆動手段は、前記ドクターブレードを前記ロール表面の方へまたは前記ロール表面から離れるように互い違いに駆動するロードチューブとアンロードチューブを前記ドクターブレードホルダコア内に含む、請求項１に記載のドクターブレードホルダシステム。
【請求項５】
前記内部ピボット構造は、雌型のピボット構造である、請求項１に記載のドクターブレードホルダシステム。
【請求項６】
前記幅方向構造が、前記ドクターブレードホルダコアと一体に形成されている、請求項１に記載のドクターブレードホルダシステム。
【請求項７】
前記ドクターブレードホルダコアは、前記ドクターブレードホルダシステムの各端部においてクランプによってフレームに固定されている、請求項１に記載のドクターブレードホルダシステム。
【請求項８】
前記ドクターブレードホルダコアおよび前記幅方向構造が、幅方向室を形成している、請求項５に記載のドクターブレードホルダシステム。
【請求項９】
ドクターブレードを受け入れるドクターブレード受け入れ領域を含むドクターブレードホルダと、
ドクターブレードホルダコアと、
前記ドクターブレードホルダを、前記ドクターブレードホルダコア内の固定ピボット構造によって規定されている第１の軸線を中心として回動させることにより、前記ドクターブレード受け入れ領域をロール表面の方へまたはロール表面から離れるように選択的に移動させる駆動手段と、
前記ドクターブレードホルダコアは、前記駆動手段を囲う断面形状を有する外壁であって、ドクターブレードホルダが通る開口を有する外壁を含み、
ドクターブレードホルダコアの少なくとも一部の周りに延びて、前記ドクターブレードホルダコアの前記開口を覆う屑シールドと、
を備えるドクターブレードホルダシステム。
【請求項１０】
前記ドクターブレードホルダコアは、断面領域が略円形である、請求項９に記載のドクターブレードホルダシステム。
【請求項１１】
前記ドクターブレードホルダコアは、真空源に結合されている内部プレナムを含む、請求項９に記載のドクターブレードホルダシステム。
【請求項１２】
前記ドクターブレードホルダは、前記内部プレナムに連通する少なくとも１つの開口部に隣接するパッドをさらに含む、請求項１１に記載のドクターブレードホルダシステム。
【請求項１３】
前記駆動手段は、前記ドクターブレードを前記ロール表面の方へまたは前記ロール表面から離れるように互い違いに駆動するロードシリンダとアンロードシリンダとを含む、請求項９に記載のドクターブレードホルダシステム。
【請求項１４】
ドクターブレードを受け入れるドクターブレード受け入れ領域を含むドクターブレードホルダと、
ドクターブレードホルダコアの内部に設けられ、前記ドクターブレード受け入れ領域から遠い側である前記ドクターブレードホルダの遠位端で前記ドクターブレードホルダの一部をピボット可能に受け入れる固定構造と、
前記ドクターブレードホルダの遠位端を、前記ドクターブレードホルダコア内の前記固定構造を中心としてピボットさせることにより、前記ドクターブレード受け入れ領域をロール表面の方へまたはロール表面から離れるように選択的に移動させる駆動手段と、
を備えるドクターブレードホルダシステムであって、
前記ドクターブレードホルダコアは、真空源に結合されている内部プレナムを含む、ドクターブレードホルダシステム。
【請求項１５】
前記ドクターブレードホルダコアは、断面領域が略円形である、請求項１４に記載のドクターブレードホルダシステム。
【請求項１６】
前記固定構造は、前記ドクターブレードホルダコアと一体に形成されている、請求項１４に記載のドクターブレードホルダシステム。
【請求項１７】
前記駆動手段は、前記ドクターブレードを前記ロール表面の方へまたは前記ロール表面から離れるように互い違いに駆動するロードチューブとアンロードチューブを前記ドクターブレードホルダコア内に含む、請求項１４に記載のドクターブレードホルダシステム。
【請求項１８】
前記固定構造は、一体に形成された内部雌型ピボット構造を含む、請求項１４に記載のドクターブレードホルダシステム。
【発明の詳細な説明】
【技術分野】
【０００１】
本発明は、ロール、ウェブ、またはシートを含む製造システムにおいて移動表面を処理するドクターに関し、製造システムには、製紙システム、繊維および織物処理システム、アルミニウム／鋼処理などが含まれる。また、特に、特定の用途のために構造を単純化し、さらにドクタリングシステムの高い要求を満たす改良設計に関する。
【背景技術】
【０００２】
本願は、２０１０年１２月１０日に出願された米国仮特許出願第６１／４２１，７５１号に優先権を主張し、当該仮出願は全て本願に組み込まれる。
【０００３】
紙および織物の処理機などのウェブ処理応用システムにおける多くのロール清掃およびシート脱水（ｓｈｅｅｔ  ｓｈｅｄｄｉｎｇ）応用システムには、ドクターブレード、クレーピングブレード、スクレーピングブレードなどのブレードを支持する、通常、ドクターブレードホルダと呼ばれるブレード支持装置が含まれる。
【０００４】
ある先行技術のドクターブレードホルダは、（ドクターブレードが連結される）上板と、底板と、上板と底板との間の取付調節アセンブリとを含む。底板は、ドクターバックに取り付けられる。ドクターバックは、抄紙機の幅にまたがる頑丈な横梁である。ドクターブレードの後方部分は、ドクターブレードホルダ内へ受け入れられ、ドクターブレードホルダは、清掃対象の表面に対して所定の位置でブレードを支持する。ドクターブレードホルダは、ドクターブレードと協働して、ブレードの前方部分にあるドクターブレードの作用縁を、ロールなどの隣接する可動面に当てる。
【０００５】
例えば、図１は、ロール１２の表面に隣接する先行技術のドクタリング装置１０を示している。ロールは、軸線Ａr を中心として回転し、ドクタリング装置は軸線Ａdbを中心として回動可能なドクターバック１４を含み、軸線Ａdbは、軸線Ａr に平行である。ドクターブレードホルダ１６が、ドクターバックの一部を形成する横梁１８上に支持されて示されている。ドクターブレードホルダ１６は、取付調節アセンブリによって連結された上板２０と底板２２とを含む。ドクターブレード２４は、上板２０の下面にある下顎開口部２６内に受け入れられる。
【０００６】
さらに図２を参照すると、取付調整アセンブリは、回動の軸となるロッド（以下、回動ロッドと記す。）３２によって互いに連結された複数の上板ブラケット２８と複数の底板ブラケット３０とを含む。また、取付調整アセンブリは、各チューブ内の流体の量を調節することによって、各々の大きさが互い違いに増加、減少するロードチューブ３４とアンロードチューブ３６を含み、これらのチューブ３４，３６の動作により、回動ロッド３２の中心軸線である軸線に関して上板の回動が制限される。この制限された回動によって、ドクターブレード２４は、ロール１２に係合してドクタリングを達成するか、またはロール１２から外れる。ドクターブレード２４をロール表面に近接および離間する位置に大まかに配置するために、ピストン／シリンダ部３８は、クランクアーム３９を介して、軸Ａdbを中心としてドクターバック１４を回動させるよう動作する。
【０００７】
通常、ドクターブレードホルダは、数個の別々の構成要素の組み合わせであり、その多くは（ブラケット２８，３０など）は、アセンブリ内で十数回も繰り返し配置され、それぞれ、板２０，２２にリベット留めされるか、またはその他の方法で固定される。この構成要素の複数性によって、ホルダメーカーは、注文製作された抄紙機に合致するようにホルダを注文製作することが可能になった。しかし、こうした複数回繰り返す構成要素は、かなりの組立時間を必要とするため、ホルダのコストや組立誤差の機会が増加する。
【０００８】
例えば、米国特許第６,４４７,６４６号に開示されたような、別の先行技術ドクターブレードホルダには、図３に示されるように、押出成形または引抜成形された受台４２に接合軸受アセンブリ４４を介してピボット可能に取り付けられる押出成形または引抜成形されたホルダ枠４０が含まれている。接合軸受アセンブリ４４は、（例えば、受台４２の）統合軸４８と結合する接合スリーブ４６を（例えば、ホルダ枠４０内に）含む。ドクターブレード５０は、ホルダ枠４０に取り付けられたブレードホルダ５２に結合される。ローディング装置５４，５６は、ドクターブレード５０にロール５８に関する正および負の荷重力を加える。ただし、ホルダ枠４０を受台４２から分離させる場合、ドクタリング装置の全長尺寸法に沿ってホルダ枠４０と受台４２とを互いに摺動させる必要があり、ドクタリング装置の全長尺寸法は、幅数メートル以上になることもある。これは、厄介かつ／または非実用的であるだけでなく、さらに、ドクタリング装置をより広い場所へ移動させる必要が生じうる。米国特許出願公開第２００６／０１８０２９１号および第２００６／０２８９１４１号、また、米国特許第６,９４２,７３４号も、ドクターブレードの長手寸法に沿って延びる一体的に形成された取付要素を含むドクターブレードホルダシステムについて開示している。
【０００９】
例えば、米国特許出願公開第２００６／００５４２９３号に開示されたさらなる先行技術のブレードホルダシステムには、図４に示されるように、基板６０と、スクラッピングブレード６６を受け入れるフィンガ装置６４を有するカバー板６２とが含まれる。基板６０とカバー板６２とは、基板６０に取り付けられた軸受管６８によってピボット可能に結合され、軸受管６８は、カバー板６２の下面に取り付けられた角管７０内に受け入れられる。角管７０は、カバー板６２の弾性をなるべく損ねないように、図の平面に対して垂直な方向にある部分に取り付けられると開示されている。カバー板６２の基板６０に対する回転位置は、バネ７４と協働した空気圧ホース７２の膨張／収縮によって調節可能である。ただし、カバー板６２を基板６０から分離させる場合、ドクタリング装置の全長手寸法に沿ってカバー板６２と基板６０とを互いに対して摺動させる必要があり、ドクタリング装置の全長尺寸法は、幅数メートル以上になることもある。
【先行技術文献】
【特許文献】
【００１０】
【特許文献１】米国特許第６,４４７,６４６号明細書
【特許文献２】米国特許出願公開第２００６／０１８０２９１号明細書
【特許文献３】米国特許出願公開第２００６／０２８９１４１号明細書
【特許文献４】米国特許第６,９４２,７３４号明細書
【特許文献５】米国特許出願公開第２００６／００５４２９３号明細書
【発明の概要】
【発明が解決しようとする課題】
【００１１】
本発明の目的は、構成要素の数、ひいてはコストを大幅に減少させ、さらにドクターブレードホルダシステムの厳しい強度要件を満たす、改良されたホルダ設計を提供することである。
【課題を解決するための手段】
【００１２】
一実施形態によれば、本発明は、ドクターブレードを受け入れるドクターブレード受け入れ領域を含むドクターブレードホルダと、ドクターブレードホルダを第１の軸線を中心として回動させることにより、ドクターブレード受け入れ領域をロール表面の方へまたはロール表面から離れるように選択的に移動させる駆動手段と、を備えるドクターブレードホルダシステムであって、ドクターブレードホルダシステムは、断面領域において略円形であり、また、第１の軸線が、略円形の断面領域の略中心に配置されている、ドクターブレードホルダシステムを提供する。
【００１３】
別の実施形態によれば、本発明は、ドクターブレードを受け入れるドクターブレード受け入れ領域を含むドクターブレードホルダと、ドクターブレードホルダを第１の軸線を中心として回動させることにより、ドクターブレード受け入れ領域をロール表面の方へまたはロール表面から離れるように選択的に移動させる駆動手段と、を備えるドクターブレードホルダシステムであって、第１の軸線が、ドクターブレードホルダの略中心領域を通る、ドクターブレードホルダシステムを提供する。
【００１４】
さらなる実施形態によれば、本発明は、ドクターブレードを受け入れるドクターブレード受け入れ領域を含むドクターブレードホルダと、ドクターブレードホルダの長手方向の各々の端でドクターブレードホルダの一部をピボット可能に受け入れる固定構造と、ドクターブレードホルダを第１の軸線を中心として回動させることにより、ドクターブレード受け入れ領域をロール表面の方へまたはロール表面から離れるように選択的に移動させる駆動手段と、を備えるドクターブレードホルダシステムであって、第１の軸線は、ドクターブレードホルダと前記固定構造の両方を通る、ドクターブレードホルダシステムを提供する。
【００１５】
本発明の第１の目的は、小型のウェブおよびウェブ類似物処理機の狭い空間に収まるよう設計された簡易型ドクタリング構造を提供しつつ、ドクターブレードローディングの制御を提供するとともに、取り外しや交換の際にはドクターブレードへの効率的かつ安全な接近を提供することである。
【００１６】
別の目的は、１つまたは複数の交換可能な屑回収システムをホルダ本体内に一体化することである。
【００１７】
別の目的は、同ホルダ本体内に、均一真空圧手段を一体化して、ブレード―ロール接触線の付近の領域に集積していることが分かっている屑を除去するために、上記真空をその領域へ向けることである。
【００１８】
別の目的は、ドクター本体内に、溶接またはその他の機械加工をせずにジャーナルおよびその他の外部ローディング機構を取り付ける手段を提供することである。
【００１９】
別の目的は、ドクター設計内に、ウェブ処理機オペレータによく知られており、かつ既存の設備に容易に統合される、二チューブ型ブレードローディングおよびアンローディングシステムを提供することである。
【００２０】
別の目的は、上記二要素のうち少なくとも１つを、実質的に中空の断面を有するように形成することによって、ドクターの重量を大幅に低減させることである。
【００２１】
別の目的は、押出加工を介して形成された要素に１つまたは複数のホルダ構成要素からなるグループを組み込み、それによって従来のホルダの複数部品組み立て工程と比べて、組み立て部品点数および付随する労力を低減することである。
【００２２】
別の目的は、単一構成要素ドクター構造内に直接形成されたドクターブレード保持機構を提供することである。
【００２３】
別の目的は、ドクター処理された表面によってドクターブレードに課せられた荷重を、ドクターの外部支持体へと効率的に伝達するブレード保持手段を提供することである。
【００２４】
別の目的は、ドクター構造内に形成された屑集積領域を提供することである。
【図面の簡単な説明】
【００２５】
【図１】ドクターバックに取り付けられた先行技術のドクターブレードホルダの例示的概略側面図である。
【図２】図１のドクターブレードホルダの例示的概略拡大側面図である。
【図３】さらなる先行技術のドクターブレードホルダの例示的概略側面である。
【図４】さらなる先行技術のドクターブレードホルダの例示的概略側面図である。
【図５】本発明の実施形態によるドクターブレードホルダの例示的概略側面図である。
【図６】一体化されたブレード保持特性、ジャーナル取付特性、および構成要素締結特性を示す図５のドクターブレードホルダの例示的概略部分断面図である。
【図７】図５，６のドクターおよびブレードアセンブリの例示的概略上面斜視図である。
【図８】図５〜７のドクターブレードホルダを使用したドクタリングシステムであって、エアシリンダを使用してドクターブレードホルダをロールの方へまたはロールから離れるように回転させるドクタリングシステムの例示的概略図である。
【図９】図８のシステムの一部分の例示的概略拡大図である。
【図１０】図８のシステムの一部分の例示的概略拡大図である。
【図１１】内部真空プレナムを含み、本発明の別の実施形態によるパッドを受け入れるように構成されるドクターブレードホルダの例示的概略側断面図である。
【図１２】図１１のドクターおよびドクターブレードホルダの例示的概略斜位図である。
【図１３】図１１、１２のドクターブレードおよびドクターブレードホルダの例示的概略上面斜視図である。
【図１４】、交換可能な屑回収装置を受け入れるための一体化された取付手段を有する本発明のさらなる実施形態によるドクタリング装置の例示的概略側面図である。
【図１５】ドクターブレードの先端を表面に載せたりドクターブレードを表面から後退させたりするために、ドクターが内部加圧管を介して固定構造に対して回転される、本発明のさらなる実施形態によるドクターブレードホルダの例示的概略側断面図である。
【図１６】ドクタリングアセンブリ内に取り付けられた、図１５のドクターブレードホルダの例示的概略部分側面図である。
【図１７】図１６のシステムの例示的概略部分側面斜視図である。
【図１８】図１６と図１７のシステムの取付構造の一部の例示的概略拡大図である。
【図１９】内部真空プレナムを含み、本発明のさらなる実施形態によるパッドを受け入れるように構成されるドクターブレードホルダの例示的概略側断面図である。
【発明を実施するための形態】
【００２６】
以下の説明は、添付の図面を参照することでより理解されうるであろう。図面は、説明のみを目的として示される。
【００２７】
本発明は、ドクターブレードホルダおよびドクターバックの機能を単一のドクタリング要素に統合して、複雑性、製造コスト、重量を大幅に低減させる。
【００２８】
まず、図５を参照すると、ドクターブレードホルダシステム１００が、ロール１０４の表面１０２に隣接して示されている。ロール１０４は、軸線Ａ1 を中心として回転し、ドクタリング装置は、軸線Ａ1 と平行な軸線Ａ2 を中心として回転可能なドクターブレードホルダ１０６を含む。本実施形態によるドクターブレード保持領域１０８は、図６，７にさらに示されるように、ドクターブレードホルダ１０６の一体部分として含まれる。ブレード保持領域１０８は、ドクターブレード１１２の後縁を受け入れる挿入口１１０を画定する。ドクターブレードの前縁が、ロール１０４の表面１０２に当てられて、ドクタリングを達成する。
【００２９】
ドクターブレードホルダ１０６は、ドクターブレードホルダコア１１４を含み、ドクターブレードホルダコア１１４は、３００シリーズなどのステンレス鋼合金または６０００シリーズなどのアルミニウム合金などの金属（後者が好ましい）を、好ましくは、押出成形することによって形成されている。このようなアルミニウム合金は、当業者によく知られているように、１つまたは複数の保護コーティング処理をされてもよい。
【００３０】
図６を参照すると、ドクターブレードホルダコア１１４が中空であり、幅方向室１１６、構成要素結合構造１１８、ジャーナル穴１２０などの内部の構成物を含むことを説明するために、ドクターブレードホルダ１０６が、部分断面図で示されている。また、ドクターブレード１１２およびドクターブレード保持領域１０８も示されている。構成要素結合構成物１１８により、図８に示されるように、ドクターブレードホルダコア１１４を、ドクターブレードホルダコア１１４の両端部でカバー板１２２，１２４に取り付けることができる。カバー板１２２，１２４の接合部分が、ドクターブレードホルダコア１１４の構成要素結合構成物１１８に係合する。幅方向室１１６と、ジャーナル穴１２０は、ドクターブレードホルダの剛性および強度を落とすことなく、その重量（ひいては慣性）を低減させる。さらなる実施形態では、以下に論じられるように、幅方向室１１６およびジャーナル穴１２０をさらに利用して、ドクターブレード１１２に近接する領域に流体（例えば減圧された流体）を提供することができる。
【００３１】
図７は、中空の幅方向室１１６と、一体化された結合構造１１８と、ジャーナル穴１２０とを説明する斜視図において、ドクターブレードホルダコア１１４とブレード１１２とを示している。この場合も、各カバー板１２２、１２４を結合構造１１８に取り付けることができ、軸受ブラケット１２８に取り付けられたジャーナル軸受１２６は、図９、１０にさらに示されるようにジャーナルを受け入れるジャーナル穴１２０と一直線上に並ぶことができる。
【００３２】
また、図８〜１０は、ドクターブレードホルダ１０６を固定機械枠１３４に取り付けて、ロール１０４に隣接して配置する取付アセンブリを示している。ドクターブレード１１２は、図１０では、下方に向けられており、見ることができる。図示されているように、１個または２個のエアシリンダ１３０（１個が示されている）を使用して、１つまたは複数のねじりアーム１３２（１個がカバー板１２２に結合されて示されており、これは図５にも示されている）を選択的に駆動する。各エアシリンダ１３０は、ドクターブレードホルダ１０６を回転させる各ねじりアーム１３２に、クレビス１３９およびピン（図示せず）を介して結合され、ドクターブレードの前縁をロール表面の方へまたはロール表面から離れるように駆動する駆動ロッド１３８を有する。出願人は、ドクターブレードホルダシステム（また本実施形態においては、ドクターブレードホルダ自体）の略円形の断面領域が、ドクタリング作業時に十分な強度と剛性を提供することを容易にすることを発見した。
【００３３】
図１１〜１３は、本発明の別の実施形態を示し、この実施形態では、ドクターブレードホルダが、幅方向真空室１４２を提供する内部プレナムに真空源が結合されていることを除いては、図５〜１０のドクターブレードホルダ１０６と同様のドクターブレードホルダコア１４０と、ドクターブレードホルダコア１４０の壁に設けられる一連の真空ポート１４４（図１３にも示される）と、を備えている。また、ポート１４４に隣接したパッド１４８を保持するために、真空パッド保持構造１４６が設けられる。ドクタリング処理中にドクタリング表面から剥離される屑は、使用中、真空によってパッド１４８内へ引き込まれる。パッド１４８は、その後定期的に交換してもよい。このようなシステムの残りの構成要素については、図５〜１０を参照して上述されたとおりである。例えば、ドクターブレードホルダコア１４０は、図５〜１０の実施形態を参照して上述された機能性を提供する、幅方向室１５０と、構成要素結合構造１５２と、ジャーナル穴１５４と、また、ドクターブレードを受け入れる挿入口１５８を画定する一体的に形成されたドクターブレード保持領域１５６と、を含む。
【００３４】
図１４は、ドクターブレードホルダコア１６０が、幅方向に延びる一体的に形成された（雌型）回動取付構造１６２を有する本発明のさらに別の実施形態を説明している。取付構造１６２は、清掃アセンブリ１６６の延長（雄型）回動取付構造１６４を受け入れる。好適な実施形態では、清掃アセンブリが、ロール１７０のドクター処理された表面から剥離された屑を回収するように設計されたパッド１６８を含む。このようなシステムの残りの構成要素については、図５〜１０を参照して上述されたとおりである。例えば、ドクターブレードホルダコア１６０は、図５〜１０の実施形態を参照して上述された機能性を提供する、幅方向室１７２と、構成要素結合構造１７４と、ジャーナル穴１７６と、また、ドクターブレードを受け入れる挿入口１７８を画定する一体的に形成されたドクターブレード保持領域と、を含む。
【００３５】
図１５は、本願のさらなる実施形態によるドクターブレードホルダシステムのドクターブレードホルダ１８０の断面図であり、この実施形態では、ドクターブレードホルダ１８０は、２つの主要構成要素を含み、第１の主要構成要素（ドクターブレードホルダコア）１８２は、特定の場所に固定され、幅方向に延びる内部雌型ピボット構造１８４を有するドクタリングコア構造である。第２の主要構成要素１８６は、ドクターブレードホルダであり、第１の構成要素１８２のピボット構造１８４内に受け入れられる雄型ピボット構造１８８を含む。また、第２の主要構成要素１８６は、幅方向に延びるドクターブレード１９０を受け入れる挿入口１８９を画定する一体的に形成されたドクターブレード保持領域２００を含む。
【００３６】
構造体１８２は、さらに、ブレードロードチューブ１９４とブレードアンロードチューブ１９６を、ブレードホルダ構成要素１８６の加圧アーム１９８との間に配置した一体型幅方向構造１９２を含む。ブレードアンロードチューブ１９６に存在する流体を放出させながら、加圧された流体、好ましくは、空気を利用してブレードロードチューブ１９４を加圧することにより、ドクターブレードホルダ構成要素１８６のドクターブレード保持領域２００を（図示されたように）反時計回りに回動させることによって、ドクターブレード１９０が隣接する表面に当接される。同様に、ブレードロードチューブ１９４を空気抜きしながら、ブレードアンロードチューブ１９６を加圧することにより、ブレードホルダ保持領域２００を時計回りに回動させることによって、ドクターブレード１９０が隣接する表面から後退する。好ましくは、ドクターブレードホルダ構成要素１８６と一体的に形成される屑シールド２０２が、ドクターブレードホルダコア構成要素１８２の開口部を覆っている。出願人は、ドクターブレードホルダシステム（また本実施形態においては、固定構造体１８２）の略円形の断面領域が、ドクタリング作業時に十分な強度と剛性を提供することを容易にすることを発見した。また、ドクターブレードホルダコア構成要素１８２は、図５〜１０の実施形態を参照して上述された機能性を提供する、幅方向室２０４と、構成要素結合構造１７４と、ジャーナル穴１７６と、を含む。
【００３７】
さらに、図１６〜１８に示されるように、図１５のドクターブレードホルダシステムの固定ドクターブレードホルダコア構成要素１８２は、各端部でクランプアーム２１２，２１４およびねじ部品２１６，２１８によって、ドクター支持部２１０内に締め付け固定されてもよい。また、各端部に示すように、ドクター支持部２１０は、枠２２０に固定されている。ロール軸受２２２は、ドクタリング対象ロール２２６のロールジャーナル端部２２４を受け入れるように構成される。
【００３８】
図１９は、本発明の別の実施形態を示し、この実施形態では、真空室を提供する固定ドクターブレードホルダコア構成要素２３４内に画定された内部プレナム２３２に真空源が結合されていることを除いては、ドクターブレードホルダシステム２３０は、図１５〜１８のドクターブレードホルダシステム１８０と類似しており、また、一連の真空ポート２３６（図１３に図示されたものと類似）が、ドクターブレードホルダコア構成要素２３４の壁に設けられる。また、ポート２３６に隣接したパッド２４０を保持するために真空パッド保持構造２３８が設けられる。ドクタリング処理中にドクタリング表面から剥離される屑は、使用中、真空によってパッド２４０内へ引き込まれる。パッド２４０は、その後定期的に交換してもよい。このようなシステムの残りの構成要素については、内部プレナムを画定するために追加壁２４２を設ける点を除いては、図１５〜１８を参照して上述されたとおりである。
【００３９】
当業者には、上記開示の実施形態の種々の修正や変更を本発明の範囲の趣旨から逸脱せずに行うことが可能であることは、明らかであろう。
【図１】
0005838220.tif 000002
【図２】
0005838220.tif 000003
【図３】
0005838220.tif 000004
【図４】
0005838220.tif 000005
【図５】
0005838220.tif 000006
【図６】
0005838220.tif 000007
【図７】
0005838220.tif 000008
【図８】
0005838220.tif 000009
【図９】
0005838220.tif 000010
【図１０】
0005838220.tif 000011
【図１１】
0005838220.tif 000012
【図１２】
0005838220.tif 000013
【図１３】
0005838220.tif 000014
【図１４】
0005838220.tif 000015
【図１５】
0005838220.tif 000016
【図１６】
0005838220.tif 000017
【図１７】
0005838220.tif 000018
【図１８】
0005838220.tif 000019
【図１９】
0005838220.tif 000020